【手続補正書】
【提出日】平成29年4月4日(2017.4.4)
【手続補正１】
【補正対象書類名】明細書
【補正対象項目名】発明の名称
【補正方法】変更
【補正の内容】
【発明の名称】撮像装置、カメラ、表示装置、撮像方法、表示方法、及びプログラム
【手続補正２】
【補正対象書類名】明細書
【補正対象項目名】０００１
【補正方法】変更
【補正の内容】
【０００１】
本発明は、撮像装置、カメラ、表示装置、撮像方法、表示方法、及びプログラムに関する。
【手続補正３】
【補正対象書類名】明細書
【補正対象項目名】０００７
【補正方法】変更
【補正の内容】
【０００７】
この発明は、別体に構成されたカメラ部と表示部とからなり、相互に通信する撮像装置であって、前記表示部は、表示手段と、自機の回転角度を取得する取得手段と、前記取得手段によって取得された回転角度を、前記通信によって前記カメラ部へ送信する回転角度送信手段と、を備え、前記カメラ部は、撮像手段と、前記回転角度送信手段によって送信された回転角度を受信する回転角度受信手段と、前記回転角度受信手段によって受信された回転角度に基づいて、前記撮像手段によって撮影されているライブビュー画像にトリミング枠を設定する設定手段と、この設定手段によって設定された結果に基づくライブビュー画像を、前記通信によって前記表示部へ送信するライブビュー画像送信手段と、を備え、前記表示部は更に、前記ライブビュー画像送信手段によって送信されたライブビュー画像を、前記通信によって受信するライブビュー画像受信手段と、前記ライブビュー画像受信手段によって受信されたライブビュー画像を前記表示手段に表示させる表示制御手段と、を備える、ことを特徴とする撮像装置である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
この発明は、撮像手段と、通信手段と、前記通信手段を介して外部より回転角度を受信する回転角度受信手段と、前記回転角度受信手段によって受信された回転角度に基づいて、前記撮像手段によって撮影されているライブビュー画像にトリミング枠を設定する設定手段と、この設定手段によって設定された結果に基づくライブビュー画像を、前記通信手段を介して外部へ送信するライブビュー画像送信手段と、を備えることを特徴とするカメラである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
この発明は、表示手段と、自機の回転角度を取得する取得手段と、通信手段と、前記取得手段によって取得された回転角度を、前記通信手段を介して外部のカメラ部へ送信する回転角度送信手段と、前記外部のカメラ部から送信され、前記回転角度に基づいてトリミング枠が設定された結果に基づくライブビュー画像を、前記通信手段を介して受信するライブビュー画像受信手段と、前記ライブビュー画像受信手段によって受信されたライブビュー画像を前記表示手段に表示させる表示制御手段と、を備えることを特徴とする表示装置である。
【手続補正９】
【補正対象書類名】明細書
【補正対象項目名】００１３
【補正方法】変更
【補正の内容】
【００１３】
この発明は、通信手段を介して外部より回転角度を受信する回転角度受信ステップと、前記回転角度受信ステップにて受信された回転角度に基づいて、撮像手段によって撮影されているライブビュー画像にトリミング枠を設定する設定ステップと、この設定ステップにて設定された結果に基づくライブビュー画像を、前記通信手段を介して外部へ送信するライブビュー画像送信ステップと、を含むことを特徴とする撮像方法である。
【手続補正１０】
【補正対象書類名】明細書
【補正対象項目名】００１４
【補正方法】変更
【補正の内容】
【００１４】
この発明は、自機の回転角度を取得する取得ステップと、前記取得ステップにて取得された回転角度を、通信手段を介して外部のカメラユニットへ送信する回転角度送信ステップと、前記外部のカメラユニットから送信され、前記回転角度に基づいてトリミング枠が設定された結果に基づくライブビュー画像を、前記通信手段を介して受信するライブビュー画像受信ステップと、前記ライブビュー画像受信ステップで受信されたライブビュー画像を表示手段に表示させる表示制御ステップと、を含むことを特徴とする表示方法である。
【手続補正１１】
【補正対象書類名】明細書
【補正対象項目名】００１５
【補正方法】変更
【補正の内容】
【００１５】
この発明は、撮像手段と通信手段とを備えたコンピュータを、前記通信手段を介して外部より回転角度を受信する回転角度受信手段、前記回転角度受信手段によって受信された回転角度に基づいて、前記撮像手段によって撮影されているライブビュー画像にトリミング枠を設定する設定手段、この設定手段によって設定された結果に基づくライブビュー画像を、前記通信手段を介して外部へ送信するライブビュー画像送信手段、として機能させることを特徴とするプログラムである。またこの発明は、表示手段と通信手段とを備えたコンピュータを、自機の回転角度を取得する取得手段、前記取得手段によって取得された回転角度を、前記通信手段を介して外部のカメラユニットへ送信する回転角度送信手段、 前記外部のカメラユニットから送信され、前記回転角度に基づいてトリミング枠が設定された結果に基づくライブビュー画像を、前記通信手段を介して受信するライブビュー画像受信手段、前記ライブビュー画像受信手段によって受信されたライブビュー画像を前記表示手段に表示させる表示制御手段、として機能させることを特徴とするプログラムである。
【手続補正１２】
【補正対象書類名】特許請求の範囲
【補正対象項目名】全文
【補正方法】変更
【補正の内容】
【特許請求の範囲】
【請求項１】
別体に構成されたカメラ部と表示部とからなり、相互に通信する撮像装置であって、
前記表示部は、
表示手段と、
自機の回転角度を取得する取得手段と、
前記取得手段によって取得された回転角度を、前記通信によって前記カメラ部へ送信する回転角度送信手段と、
を備え、
前記カメラ部は、
撮像手段と、
前記回転角度送信手段によって送信された回転角度を受信する回転角度受信手段と、
前記回転角度受信手段によって受信された回転角度に基づいて、前記撮像手段によって撮影されているライブビュー画像にトリミング枠を設定する設定手段と、
この設定手段によって設定された結果に基づくライブビュー画像を、前記通信によって前記表示部へ送信するライブビュー画像送信手段と、
を備え、
前記表示部は更に、
前記ライブビュー画像送信手段によって送信されたライブビュー画像を、前記通信によって受信するライブビュー画像受信手段と、
前記ライブビュー画像受信手段によって受信されたライブビュー画像を前記表示手段に表示させる表示制御手段と、
を備える、
ことを特徴とする撮像装置。
【請求項２】
前記ライブビュー画像には、その画像に前記トリミング枠が重畳されていることを特徴とする請求項１に記載の撮像装置。
【請求項３】
前記カメラ部は、
自機の傾斜角度を取得する傾斜角度取得手段を更に備え、
前記設定手段は、前記回転角度と前記傾斜角度取得手段によって取得された自機の傾斜角度とに基づいて、前記撮像手段によって撮影されているライブビュー画像にトリミング枠を設定することを特徴とする請求項１又は２に記載の撮像装置。
【請求項４】
前記表示部は、
自機の移動方向及び移動量の少なくとも一方を取得する移動情報取得手段を更に備え、
前記設定手段は、前記回転角度と前記移動情報取得手段によって取得された移動方向及び移動量の少なくとも一方とに基づいて、前記撮像手段によって撮影されているライブビュー画像にトリミング枠を設定することを特徴とする請求項１又は２に記載の撮像装置。
【請求項５】
前記カメラ部は、
撮像指示を検出する指示検出手段と、
この指示検出手段による撮像指示によって撮像された画像と前記設定手段によって設定されたトリミング枠に関する情報とを取得する撮像画像取得手段と、
を更に備えることを特徴とする請求項１乃至４の何れかに記載の撮像装置。
【請求項６】
前記カメラ部は、
撮像指示を検出する指示検出手段と、
この指示検出手段による撮像指示によって撮像された画像を前記設定手段によって設定されたトリミング枠にてトリミングして、保存するよう制御する保存制御手段と、
を更に備えることを特徴とする請求項１乃至４の何れかに記載の撮像装置。
【請求項７】
撮像手段と、
通信手段と、
前記通信手段を介して外部より回転角度を受信する回転角度受信手段と、
前記回転角度受信手段によって受信された回転角度に基づいて、前記撮像手段によって撮影されているライブビュー画像にトリミング枠を設定する設定手段と、
この設定手段によって設定された結果に基づくライブビュー画像を、前記通信手段を介して外部へ送信するライブビュー画像送信手段と、
を備えることを特徴とするカメラ。
【請求項８】
前記ライブビュー画像には、その画像に前記トリミング枠が重畳されていることを特徴とする請求項７に記載のカメラ。
【請求項９】
自機の傾斜角度を取得する傾斜角度取得手段を更に備え、
前記設定手段は、前記回転角度と前記傾斜角度取得手段によって取得された自機の傾斜角度とに基づいて、前記撮像手段によって撮影されているライブビュー画像にトリミング枠を設定することを特徴とする請求項７又は８に記載のカメラ。
【請求項１０】
前記通信手段を介して、前記ライブビュー画像送信先の移動方向及び移動量の少なくとも一方を取得する移動情報取得手段を更に備え、
前記設定手段は、前記回転角度と前記移動情報取得手段によって取得された移動方向及び移動量の少なくとも一方とに基づいて、前記撮像手段によって撮影されているライブビュー画像にトリミング枠を設定することを特徴とする請求項７乃至９の何れかに記載のカメラ。
【請求項１１】
撮像指示を検出する指示検出手段と、
この指示検出手段による撮像指示によって撮像された画像と前記設定手段によって設定されたトリミング枠に関する情報とを取得する取得手段と、
を更に備えることを特徴とする請求項７乃至１０の何れかに記載のカメラ。
【請求項１２】
撮像指示を検出する指示検出手段と、
この指示検出手段による撮像指示によって撮像された画像を前記設定手段によって設定されたトリミング枠にてトリミングして、保存するよう制御する保存制御手段と、
を更に備えることを特徴とする請求項７乃至１０の何れかに記載のカメラ。
【請求項１３】
表示手段と、
自機の回転角度を取得する取得手段と、
通信手段と、
前記取得手段によって取得された回転角度を、前記通信手段を介して外部のカメラ部へ送信する回転角度送信手段と、
前記外部のカメラ部から送信され、前記回転角度に基づいてトリミング枠が設定された結果に基づくライブビュー画像を、前記通信手段を介して受信するライブビュー画像受信手段と、
前記ライブビュー画像受信手段によって受信されたライブビュー画像を前記表示手段に表示させる表示制御手段と、
を備えることを特徴とする表示装置。
【請求項１４】
前記ライブビュー画像には、前記トリミング枠が重畳されていることを特徴とする請求項１３に記載の表示装置。
【請求項１５】
撮像指示を検出する検出する撮像指示検出手段と、
前記撮像指示検出手段によって検出された撮像指示を、前記通信手段を介して外部のカメラ部へ送信する撮像指示送信手段と、
前記撮像指示送信手段によって送信された撮像指示に応答して、前記通信手段を介して前記トリミング枠にてトリミングされた結果に基づく画像を受信する撮像画像受信手段と、
この撮像画像受信手段によって受信された画像を前記表示手段に表示するよう制御する撮像画像表示制御手段と、
を更に備えることを特徴とする請求項１３に記載の表示装置。
【請求項１６】
通信手段を介して外部より回転角度を受信する回転角度受信ステップと、
前記回転角度受信ステップにて受信された回転角度に基づいて、撮像手段によって撮影されているライブビュー画像にトリミング枠を設定する設定ステップと、
この設定ステップにて設定された結果に基づくライブビュー画像を、前記通信手段を介して外部へ送信するライブビュー画像送信ステップと、
を含むことを特徴とする撮像方法。
【請求項１７】
自機の回転角度を取得する取得ステップと、
前記取得ステップにて取得された回転角度を、通信手段を介して外部のカメラユニットへ送信する回転角度送信ステップと、
前記外部のカメラユニットから送信され、前記回転角度に基づいてトリミング枠が設定された結果に基づくライブビュー画像を、前記通信手段を介して受信するライブビュー画像受信ステップと、
前記ライブビュー画像受信ステップで受信されたライブビュー画像を表示手段に表示させる表示制御ステップと、
を含むことを特徴とする表示方法。
【請求項１８】
撮像手段と通信手段とを備えたコンピュータを、
前記通信手段を介して外部より回転角度を受信する回転角度受信手段、
前記回転角度受信手段によって受信された回転角度に基づいて、前記撮像手段によって撮影されているライブビュー画像にトリミング枠を設定する設定手段、
この設定手段によって設定された結果に基づくライブビュー画像を、前記通信手段を介して外部へ送信するライブビュー画像送信手段、
として機能させることを特徴とするプログラム。
【請求項１９】
表示手段と通信手段とを備えたコンピュータを、
自機の回転角度を取得する取得手段、
前記取得手段によって取得された回転角度を、前記通信手段を介して外部のカメラユニットへ送信する回転角度送信手段、
前記外部のカメラユニットから送信され、前記回転角度に基づいてトリミング枠が設定された結果に基づくライブビュー画像を、前記通信手段を介して受信するライブビュー画像受信手段、
前記ライブビュー画像受信手段によって受信されたライブビュー画像を前記表示手段に表示させる表示制御手段、
として機能させることを特徴とするプログラム。